(57)【要約】【課題】薄型吸収性物品であっても、個包装から取り出した段階で吸収性物品の排血口対応部が肌側に隆起し、吸収性物品の表面が肌に密着するとともに、体液の漏れが防止できるようにする。【解決手段】生理用ナプキン１は、包装シート１２に囲繞された状態で、少なくとも排血口対応部Ｈ及びそれより後側部分がナプキン幅方向中央部で長手方向に沿って前記透液性表面シート３側に山折りとなるように、前記包装シート１２とともに不透液性裏面シート２側に折り畳む。個装生理用ナプキン２０から生理用ナプキン１を取り出した段階で、折り癖によって、生理用ナプキン１の幅方向中央部が長手方向に沿って肌側に隆起した山折り部分１３が形成される。この山折り部分１３を排血口部に密着させるようにして装着することにより、生理用ナプキン１の表面が肌面に密着し、体液の漏れが防止できる。【選択図】図６
2015160066.tif 000002
【特許請求の範囲】
【請求項１】
透液性表面シートと裏面シートとの間に吸収体が介在された吸収性物品と、この吸収性物品を個装する包装シートとからなる個装吸収性物品において、
前記吸収性物品は、前記包装シートに囲繞された状態で、少なくとも排血口対応部及びそれより後側部分が吸収性物品の幅方向中央部で長手方向に沿って前記透液性表面シート側に山折りとなるように、前記包装シートとともに長手方向折り線にて前記裏面シート側に折り畳まれていることを特徴とする個装吸収性物品。
【請求項２】
前記吸収性物品は、前記排血口対応部より前側部分が幅方向折り線にて前記裏面シート側に折り畳まれた状態で、前記包装シートに囲繞されている請求項１記載の個装吸収性物品。
【請求項３】
少なくとも前記吸収体に対し、前記透液性表面シート側に山折りとなる部分の両側にそれぞれ、吸収性物品の略長手方向に沿う１又は複数のエンボスが設けられている請求項１、２いずれかに記載の個装吸収性物品。
【請求項４】
前記包装シートは、前記吸収性物品とともに長手方向折り線にて折り畳まれた状態で、対面する該包装シート同士が仮止めされている請求項１〜３いずれかに記載の個装吸収性物品。
【請求項５】
前記吸収性物品とともに長手方向折り線にて折り畳まれた前記包装シートの内側となる面に、前記吸収性物品の取出口が設けられている請求項１〜４いずれかに記載の個装吸収性物品。
【請求項６】
前記透液性表面シート側に山折りとなる部分の前記裏面シート側の面には、下着に対する固定のためのズレ止め粘着剤層が形成されていない請求項１〜５いずれかに記載の個装吸収性物品。
【発明の詳細な説明】
【技術分野】
【０００１】
本発明は、包装シートによって個装された吸収性物品に関する。
【背景技術】
【０００２】
従来より、生理用ナプキン、パンティライナー、おりものシート、失禁パッドなどの吸収性物品としては、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品としては、装着状態でのズレをなくすために、例えばナプキン本体の非肌当接面側（不透液性裏面シートの外面）に１または複数条の粘着剤層を形成し、かつナプキン本体の長手方向両側縁部から外方に延在するウイング状フラップを一体的に形成するとともに、このウイング状フラップの不透液性裏面シート側の面（外面）に粘着剤層を設けるようにしたものが存在する。
【０００４】
前記吸収性物品を個装するに際しては、前記粘着剤層を紙又はフィルムからなる剥離シートによって被覆するとともに、吸収性物品の外面側に包装シートを配置し、吸収性物品、剥離シート及び包装シートを共に長手方向に三つ折り又は四つ折りとし、側縁部分をヒートシールするとともに、開封部をタグテープ等により止着するようにしていた。
【０００５】
また、下記特許文献１においては、吸収性物品が取り出しやすい吸収性物品包装体として、外面側が被覆シートで覆われた状態で、長手方向に延びる第１折り目で折り返され、さらに幅方向に延びる第２折り目で折り返された吸収性物品包装体が開示されている。
【０００６】
他方で、吸収性物品の表面を排血口部に密着させ、体液の漏れを防止する技術も種々開発されている。例えば、下記特許文献２においては、陰唇間パッドの身体側面に吸収層シートを折り曲げて形成した長凸状領域を設けて陰唇間内に嵌装させることができるようにするとともに、陰唇間パッドの反身体側面に吸収層シートの折り曲げ部分の広がりを規制する規制ミニシート片を取り付けて規制ミニシートと裏面側シートとの間に形成される空間に指を差し込めるようにした陰唇間パッドが開示されている。
【０００７】
更に、下記特許文献３においては、吸収体は、着用者の排泄口に対向して配置される排泄口当接領域の中心を含み、かつ圧搾部が形成された第１領域と、前記第１領域よりも吸収性物品の後方に配置され、圧搾部が形成されていない第２領域とを備えており、前記圧搾部は、前記第２領域の外周に沿って配置された囲み圧搾部と、前記第２領域の幅方向両側方に配置され、かつ前記第２領域の幅方向外側から前記第１領域まで延びる一対の長手方向圧搾部とを備えており、前記第２領域は、前記第１領域に対して幅方向外側から幅方向内側に向かう力が加えられた際に、前記長手方向圧搾部及び前記囲み圧搾部を介して幅方向内側に押圧され、着用者の肌当接面側に隆起可能に構成されている吸収性物品が開示されている。
【先行技術文献】
【特許文献】
【０００８】
【特許文献１】特開２０１３−２３６６８３号公報
【特許文献２】国際公開第ＷＯ２００２／９４１４５号パンフレット
【特許文献３】特開２０１３−１３４３５号公報
【発明の概要】
【発明が解決しようとする課題】
【０００９】
しかしながら、上記特許文献１記載の吸収性物品包装体では、長手方向に延びる第１折り目で吸収性物品を折り返す際に、吸収性物品の肌当接面を内側に折り畳んであるため、使用時に吸収性物品を個装袋から取り出して展開した状態では、吸収性物品の肌当接面は、折り癖によって幅方向中央部が長手方向に沿って非肌面側に窪んだ状態となる。この状態で吸収性物品を装着した場合、吸収性物品の肌当接面が排血口部に密着しにくく、肌当接面と排血口部との間に隙間が生じて体液が漏れやすかった。
【００１０】
一方、上記特許文献２、３では、吸収性物品の肌当接面を排血口部に密着させる技術が開示されているが、上記特許文献２記載の陰唇間パッドでは、規制ミニシートと裏面側シートとの間に形成される空間に指を差し込めるようにして陰唇間に挟み込むようにして装着しなければならないため、装着に際して手間がかかるとともに、衛生面を考慮すると使用者が敬遠しかねなかった。また、上記特許文献３記載の吸収性物品では、第１領域に対して幅方向外側から幅方向内側に向かう力が加えられたときに第２領域が隆起するような構造であるため、排血口部が常に肌側に隆起しているものではなく、排血口との密着性が低下する場合があった。その場合には体液漏れが懸念される。
【００１１】
ところで、従来より、比較的嵩のある吸収性物品の場合には、持ち運びに不便である、または収納性が悪いなどの問題があるとともに、物流の効率化や省資源化などの要請から、吸収体の厚みを薄くした薄型吸収性物品が好まれる傾向にある。かかる薄型吸収性物品は、身体のラインに響かず、個装状態がコンパクトで持ち運びにも便利であるなどの理由から、働く女性などに特に人気がある。しかし、その一方で、薄型ゆえに通常の吸収性物品より吸収体が平坦になりやすく、身体の表面にフィットしにくく、隙間ができやすく、体液漏れが発生しやすいなどの問題があった。身体の凹凸に密着させる技術として、吸収体を厚くして中高部を形成する構造も知られているが、個装した際に嵩張るため、薄型吸収性物品に採用することはできなかった。
【００１２】
そこで本発明の主たる課題は、薄型吸収性物品であっても、個装から取り出した段階で吸収性物品の排血口対応部が肌側に隆起し、吸収性物品の表面が肌に密着するとともに、体液の漏れが防止できるようにした個装吸収性物品を提供することにある。
【課題を解決するための手段】
【００１３】
上記課題を解決するために請求項１に係る本発明として、透液性表面シートと裏面シートとの間に吸収体が介在された吸収性物品と、この吸収性物品を個装する包装シートとからなる個装吸収性物品において、
前記吸収性物品は、前記包装シートに囲繞された状態で、少なくとも排血口対応部及びそれより後側部分が吸収性物品の幅方向中央部で長手方向に沿って前記透液性表面シート側に山折りとなるように、前記包装シートとともに長手方向折り線にて前記裏面シート側に折り畳まれていることを特徴とする個装吸収性物品が提供される。
【００１４】
上記請求項１記載の発明では、吸収性物品が包装シートによって囲繞された状態で、少なくとも排血口対応部及びそれより後側部分が吸収性物品の幅方向中央部で長手方向に沿って前記透液性表面シート側に山折りとなるように、前記包装シートとともに長手方向折り線にて前記裏面シート側に折り畳まれているため、個装吸収性物品から吸収性物品を取り出した段階で、折り癖によって吸収性物品の幅方向中央部が長手方向に沿って肌側に隆起した状態となっている。このため、この隆起した部分を排血口部に密着させるように装着することにより、吸収性物品の表面が肌面に密着でき、体液の漏れが防止できるようになる。また、排血口対応部より後側部分の幅方向中央部が長手方向に沿って肌側に隆起するので、後側部分が臀裂部の割れ目に沿って装着でき、臀裂部に沿った体液の伝い漏れが防止できるようになる。
【００１５】
請求項２に係る本発明として、前記吸収性物品は、前記排血口対応部より前側部分が幅方向折り線にて前記裏面シート側に折り畳まれた状態で、前記包装シートに囲繞されている請求項１記載の個装吸収性物品が提供される。
【００１６】
上記請求項２記載の発明では、前記排血口対応部より前側部分を幅方向折り線にて前記裏面シート側に折り畳んだ状態で、前記包装シートに囲繞することにより、個装吸収性物品をコンパクトにすることができ、携帯性に優れるようになる。また、前記前側部分を裏面シート側に折り畳んだ状態で、吸収性物品を長手方向折り線にて裏面シート側に折り畳むと、前記前側部分は、幅方向中央部で長手方向に沿って前記透液性表面シート側に谷折りとなる。このときの折り癖によって、個装吸収性物品から吸収性物品を取り出した段階で、前側部分は、幅方向中央部が長手方向に沿って非肌面側に隆起した状態となる。このため、この前側部分が下腹部の膨らみに適度にフィットするようになり、装着時の違和感が生じないとともに、体液の漏れが防止できるようになる。
【００１７】
請求項３に係る本発明として、少なくとも前記吸収体に対し、前記透液性表面シート側に山折りとなる部分の両側にそれぞれ、吸収性物品の略長手方向に沿う１又は複数のエンボスが設けられている請求項１、２いずれかに記載の個装吸収性物品が提供される。
【００１８】
上記請求項３記載の発明では、少なくとも前記吸収体に対し、前記透液性表面シート側に山折りとなる部分の両側にそれぞれ、吸収性物品の略長手方向に沿う１又は複数のエンボスを設けてあるため、山折りとなる部分の両側において吸収体の剛性が高まり、吸収性物品の幅方向外側から内側に向けて脚圧を受けた際に、脚圧によって吸収性物品の中央部が肌側に隆起しやすくなる。なお、前記エンボスは、吸収体又は被包シートで囲繞した吸収体の表面側から付与してもよいし、透液性表面シートの表面側から付与してもよい。
【００１９】
請求項４に係る本発明として、前記包装シートは、前記吸収性物品とともに長手方向折り線にて折り畳まれた状態で、対面する該包装シート同士が仮止めされている請求項１〜３いずれかに記載の個装吸収性物品が提供される。
【００２０】
上記請求項４記載の発明では、前記包装シートを吸収性物品とともに長手方向折り線にて折り畳んだ状態で、対面する該包装シート同士を仮止めすることにより、吸収性物品の山折り状態が確実に維持できるようになる。また、個装吸収性物品がコンパクトになり、持ち運びに便利になる。
【００２１】
請求項５に係る本発明として、前記吸収性物品とともに長手方向折り線にて折り畳まれた前記包装シートの内側となる面に、前記吸収性物品の取出口が設けられている請求項１〜４いずれかに記載の個装吸収性物品が提供される。
【００２２】
上記請求項５記載の発明では、長手方向折り線にて折り畳む包装シートの内側となる面に吸収性物品の取出口を設けることにより、前記取出口を通じて包装シートの内部に塵埃などの異物が入り込むのが防止できるとともに、搬送中に取出口が意図せず開封されるのが防止できるようになる。
【００２３】
請求項６に係る本発明として、前記透液性表面シート側に山折りとなる部分の前記裏面シート側の面には、下着に対する固定のためのズレ止め粘着剤層が形成されていない請求項１〜５いずれかに記載の個装吸収性物品が提供される。
【００２４】
上記請求項６記載の発明では、前記山折り部分の前記裏面シート側の面には、ズレ止め粘着剤層を設けないことにより、吸収性物品を取り出した段階で山折り部分が折り癖によって肌側に隆起しても、裏面シート側のズレ止め粘着剤層同士が貼り付くのが防止でき、下着に対してしっかりと固定できるようになる。
【発明の効果】
【００２５】
以上詳説のとおり本発明によれば、薄型吸収性物品であっても、個装から取り出した段階で吸収性物品の排血口対応部が肌側に隆起し、吸収性物品の表面が肌に密着するとともに、体液の漏れが防止できるようになる。
【図面の簡単な説明】
【００２６】
【図１】本発明に係る生理用ナプキン１の一部破断展開図である。
【図２】そのII−II線矢視図である。
【図３】生理用ナプキン１の個装要領図（その１）である。
【図４】生理用ナプキン１の個装要領図（その２）である。
【図５】生理用ナプキン１の個装要領図（その３）である。
【図６】生理用ナプキン１の個装要領図（その４）である。
【図７】個装から取り出した状態の生理用ナプキン１の展開図である。
【図８】図７のVIII−VIII線矢視図である。
【図９】図７のIX−IX線矢視図である。
【図１０】他の形態例に係る生理用ナプキン１の展開図である。
【図１１】エンボス１５の平面図である。
【図１２】他の形態例に係る生理用ナプキン１の展開図である。
【図１３】個装生理用ナプキン２０の展開図である。
【図１４】個装生理用ナプキン２０の展開図である。
【図１５】個装生理用ナプキン２０の展開図である。
【図１６】生理用ナプキン１の裏面図である。
【発明を実施するための形態】
【００２７】
以下、本発明の実施の形態について図面を参照しながら詳述する。先ずはじめに、生理用ナプキン１の基本構成について説明すると、本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、表面両側部にそれぞれ長手方向に沿って配設されたサイド不織布７，７とから構成されている。また、前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部が形成されている。なお、前記吸収体４の形状保持および拡散性向上のために、前記吸収体４をクレープ紙や不織布などの被包シート（図示せず）によって囲繞することができる。
【００２８】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２９】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００３０】
前記不透液性裏面シート２と表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体を用いてもよい。
【００３１】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３２】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３３】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００３４】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３５】
図１及び図２に示されるように、前記透液性表面シート３と不透液性裏面シート２との間に吸収体４が介在された本体部分の非肌当接面には、下着に対する固定のために適宜の塗布パターンによって複数条の、図示例では２条の本体ズレ止め粘着剤層８、８が形成されているとともに、これら本体ズレ止め粘着剤層８、８が本体用剥離材９によって覆われている（図３参照）。また、前記ウイング状フラップＷ、Ｗの不透液性裏面シート２側の面には、ウイングズレ止め粘着剤層１０、１０が形成されるとともに、これらウイングズレ止め粘着剤層１０、１０が幅方向に横断する１枚のウイング用剥離材１１によって覆われている。また、前記本体用剥離材９とウイング用剥離材１１とは、互いに重なる領域にてホットメルト接着剤等により堅固に固着され、一体化されている。
【００３６】
前記剥離材９、１１としては、ズレ止め粘着剤層８、１０に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。この場合、少なくともウイング用剥離材１１については、個装状態から開封し個装材を剥離した際に、円滑にウイング状フラップＷ、Ｗを展開できるように可撓性に富む粘着力の低下を招かないものであれば、フィルムそのものであっても、不織布そのものであっても良い。
【００３７】
次に、前述した生理用ナプキン１の個装要領について説明すると、生理用ナプキン１を個装するには、図３に示されるように、前記ズレ止め粘着剤層８、１０を剥離材９、１１で覆った状態で、両側のウイング状フラップＷ、Ｗを基端部の折り線ＲＬにてウイング用剥離材１１とともに不透液性裏面シート２側に折り畳んだ後、生理用ナプキン１の所定の前側部分をナプキン幅方向折り線ＳＷにて本体用剥離材９とともに不透液性裏面シート２側に折り畳む。
【００３８】
このように折り畳まれた生理用ナプキン１は、図４に示されるように、包装シート１２の上に載置され、さらにその上面に包装シート１２を載置するか、図示例のようにナプキンの幅方向に連続する包装シート１２を折り返すことによって、包装シート１２で囲繞される。
【００３９】
図５に示されるように、包装シート１２の開口する周縁部をヒートシールやホットメルト接着剤等の接合手段によって接合することにより、包装シート１２内部に生理用ナプキン１が封入される。
【００４０】
しかる後、図５及び図６に示されるように、前記生理用ナプキン１の少なくとも排血口対応部Ｈ及びそれより後側部分が幅方向中央部で長手方向に沿って透液性表面シート３側に山折りとなるように、包装シート１２とともに長手方向折り線ＳＬにて不透液性裏面シート２側に折り畳む。以上により、個装生理用ナプキン２０が完成する。なお、図６に示される折り畳み状態を維持するため、内側の対面する包装シート１２、１２同士を仮止めすることが好ましい。
【００４１】
上述した個装生理用ナプキン２０から生理用ナプキン１を取り出すと、図７〜図９に示されるように、折り癖によって、生理用ナプキン１は山折り部分１３及び谷折り部分１４が形成されている。即ち、排血口対応部Ｈ及びこれより後側部分においては、個装時にナプキン幅方向中央部で長手方向に沿って透液性表面シート３側に山折りとなるように長手方向折り線ＳＬにて不透液性裏面シート２側に折り畳まれるため、図８に示されるように、折り癖によって、生理用ナプキン１の幅方向中央部が長手方向に沿って肌側に隆起した山折り部分１３が形成される。一方、排血口対応部Ｈより前側部分においては、幅方向折り線ＳＷにて折り畳まれた上で長手方向折り線ＳＬにて不透液性裏面シート２側に折り畳まれるため、図９に示されるように、折り癖により、生理用ナプキン１の幅方向中央部が長手方向に沿って非肌側に隆起した谷折り部１４が形成される。つまり、図７に示されるように、幅方向折り線ＳＷより後側の幅方向中央部は、長手方向に沿って山折りに折り畳まれた折り癖によって、図８に示されるように肌側に隆起するのに対して、幅方向折り線ＳＷより前側の幅方向中央部は、長手方向に沿って谷折りに折り畳まれた折り癖によって、図９に示されるように非肌側に隆起する。
【００４２】
このような折り癖がついた生理用ナプキン１を装着すると、排血口部から臀部溝にかけては、肌側に隆起した山折り部分１３が肌面の身体の溝、すなわち体液排出部の溝や臀裂部の割れ目の溝にフィットして体液の漏れが防止できる。一方、排血口部より前側においては、肌側が窪んだ谷折り部分１４が下腹部の膨らみに適度にフィットして、装着時の違和感が生じないとともに、体液の漏れが防止できる。
【００４３】
上述の個装生理用ナプキン２０は、種々の形態で形成することが可能である。図１０に示される生理用ナプキン１は、透液性表面シート３側の山折りとなる部分の両側にそれぞれ、少なくとも吸収体４に対し、ナプキン略長手方向に沿う１又は複数のエンボス１５が設けられている。図示例では、山折り部分１３の両側にそれぞれ幅方向に離間する２本のエンボス１５、１５が配設されている。前記エンボス１５は、吸収体４又は被包シートで囲繞した吸収体４の表面側から付与してもよいし、吸収体４に透液性表面シート３を積層した状態で前記透液性表面シート３の表面側から付与してもよい。なお、前記エンボス１５は、個装生理用ナプキン２０から生理用ナプキン１を取り出したとき、山折り部分１３の折り癖が保持できる程度に吸収体４などのナプキン構成部材がある程度の剛性を有する場合は、必ずしも設ける必要はない。
【００４４】
山折り部分１３の両側にエンボス１５、１５を設けることによって、山折り部分１３の両側の吸収体４の剛性が高まり、幅方向外側から内側に向かう脚圧によって吸収体４の中央部が肌側に隆起する変形が生じやすくなる。更に、エンボス１５に沿って体液が長手方向に拡散しやすくなり、体液の横漏れが防止できるようになる。
【００４５】
前記エンボス１５は、幅方向折り線ＳＷの後側から吸収体４の後側端縁に亘って形成することが好ましい。生理用ナプキン１の前側部分を折り返さずに個装する場合には、吸収体４の前側端縁から後側端縁に亘って形成することが好ましい。つまり、吸収体４の長さに対するエンボス１５のナプキン長手方向長さの比を、吸収体４の長さ：エンボス１３の長さ＝１：１〜０．３とするのが好ましい。
【００４６】
前記エンボス１５の平面パターンは、連続線又はエンボス部と非エンボス部とが交互に配置された間欠線のいずれでもよい。前記間欠線とする場合、前記エンボス部の平面形状は、図１１に示されるように、(A)エンボス方向に沿って長い楕円や円、(B)エンボス方向に沿って長い長方形や正方形或いは角丸の方形状、(C)後側又は前側に向けて漸次溝幅が狭くなる三角形状、(D)エンボス方向に沿って長い菱形、など、体液がエンボス方向に沿って拡散しやすい形状とすることが望ましい。
【００４７】
また、前記エンボス１５は、図１０に示されるように、ナプキン長手方向に対しほぼ平行な直線とすることが可能であるが、ナプキン長手方向に略平行な線で形成してあればよい。例えば、図１２に示されるように、山折り部分１３の両側に配置されるエンボス１５、１５同士の離隔幅がナプキン後側に向けて漸次幅広となる直線又は曲線によって形成することができる。図１２に示される例では、エンボス１５、１５の離隔幅がナプキン後側に向けて漸次幅広となる、幅方向外側に曲率中心を有する円弧状の曲線によって形成している。これにより、ナプキン後側の幅方向中央部が肌側により高く隆起できるようになり、臀部溝にフィットしやすくなる。
【００４８】
生理用ナプキン１を包装シート１２で囲繞するに際しては、ナプキン全長の寸法に応じて、前記生理用ナプキン１を長手方向に折り畳んでも良いし、折り畳まなくても良い。例えば、ナプキン全長の寸法が２０ｃｍ〜２８ｃｍの場合、携帯性や身体前側とのフィット性の向上を考慮して、図３に示されるように、所定の幅方向折り線ＳＷにて前側部分を不透液性裏面シート２側に１回折り畳むことが好ましく、ナプキン全長が１５ｃｍ以下の場合には、長手方向に対して折り畳まないのが好ましい。また、ナプキン全長が１５ｃｍを超え２０ｃｍ未満の場合、ナプキン長手方向に任意に折り畳むことができる。なお、本発明にかかる生理用ナプキン１の全長は、携帯性を考慮して持ち運びしやすい長さで形成することが好ましく、長手方向に折り畳む場合も持ち運びしやすい長さに折り畳むのが好ましい。
【００４９】
本個装生理用ナプキン２０では、排血口対応部Ｈ及びこれより後側部分に山折り部分１３を形成し、身体の表面との密着性を図ろうとしているので、生理用ナプキン１の後側部分を幅方向折り線にて長手方向に折り畳むことにより、後側部分に谷折り部分を形成するのは好ましくない。したがって、生理用ナプキン１を長手方向に折り畳む際には、前側部分のみを折り畳むようにする。
【００５０】
前記生理用ナプキン１の前側部分を長手方向に折り畳む際の幅方向折り線ＳＷは、排血口対応部Ｈ及びこれより後側部分に山折り部分１３が形成されるように、ナプキン全長に対しナプキン前端から０〜１／２の位置、好ましくは０〜１／３の位置とするのがよい。
【００５１】
前記ウイング状フラップＷ、Ｗは、図３及び図４に示される例では、不透液性裏面シート２側に折り返しているが、透液性表面シート３側に折り返しても構わない。好ましくは、剥離材１１を剥がしたときに折り癖によってウイングズレ止め粘着剤層１０が本体側にくっつくのを防止するため、透液性表面シート３側に折り返すのがよい。
【００５２】
一方、前記生理用ナプキン１を長手方向折り線ＳＬにて幅方向に折り畳みやすくするため、吸収体４の非肌面側（不透液性裏面シート２側）の幅方向中央部に、長手方向に沿って直線状のエンボスを付与することが好ましい。これによって、前記エンボスを可撓軸として、吸収体４を幅方向に折り畳みやすくすることができる。前記エンボスは、連続線又は間欠線によって形成することができる。前記エンボスの長さは、吸収体４の全長に対する比（吸収体の長さ：エンボスの長さ）が、１：０．３〜１とするのがよい。エンボスの長さを吸収体４の長さより短くする場合は、吸収体４の排血口対応部Ｈから後側、幅方向折り線ＳＷにてナプキン前側部分を折り返す場合は前記幅方向折り線ＳＷより後側に延びるように配置するのがよい。前記エンボスの溝幅は、０．５ｍｍ〜５ｍｍとするのがよい。
【００５３】
前記包装シート１２は、内部に収容される所定の折り畳み状態の生理用ナプキン１より長手方向及び幅方向に若干大きな寸法で形成した略矩形状のシートとされる。前記包装シート１２は、生理用ナプキン１を囲繞した状態で、生理用ナプキン１より外側に延在した開口部分にヒートシールやホットメルトなどの接合代が確保されている。素材的には、紙、不織布、プラスチックフィルムなどを使用することができるが、好ましくは薄くかつ柔軟性の高いプラスチックフィルムとするのがよい。また、図６に示される個装生理用ナプキン２０では、収容される生理用ナプキン１は、透液性表面シート３が外面側に向いているため、包装シート１２を透かして内部の透液性表面シート３が見えないように、少なくとも外面側の包装シート１２は、隠蔽性の高い素材を使用するのが好ましい。
【００５４】
前記包装シート１２により生理用ナプキン１を囲繞するには、公知の方法を用いることができる。具体的には、連続する１枚の包装シート１２によって生理用ナプキン１を巻き込むようにして囲繞してもよいし、２枚の包装シート１２を生理用ナプキン１の上下面に重ね合わせてもよい。連続する１枚の包装シート１２によって囲繞する場合、前述の図４及び図５に示されるように、生理用ナプキン１の一方の側縁を巻き込むようにして囲繞したならば、包装シート１２の開口する３辺の周縁を封止するようにしてもよいし、図１３(C)に示されるように、生理用ナプキン１の長手方向の両端より外側に延在させた包装シート１２を、生理用ナプキン１の長手方向の両端をそれぞれ巻き込むようにして囲繞したならば、生理用ナプキン１の上面で包装シート１２の端縁同士を重ね合わせ、包装シート１２の開口する両側縁部分を封止し、かつ重ね合わせた開口側端縁をパウチテープ１７の止着若しくは接着剤の塗布又はこれらの組み合わせにより封止するようにしてもよい。
【００５５】
前記包装シート１２には、生理用ナプキン１の取出口１６が設けられている。前記取出口１６は、生理用ナプキン１を包装シート１２とともに幅方向に折り畳む際に包装シート１２、１２同士が対面する内側となる面に設けてある。これにより、外部から塵埃などの異物が内部に混入しにくくなるとともに、搬送中やバッグに入れて持ち運ぶときなどに取出口１６から包装シート１２が意図せず破けるのが防止できる。
【００５６】
前記取出口１６は、図１３(A)、(B)に示されるように、ミシン目によって構成しても良いし、同図１３(C)に示されるように、包装シート１２の開口端縁をパウチテープ１７などによって止着した構造としても良い。前者のミシン目構造の場合は、後者の開口端縁構造に比べて取出口１６の隙間から異物が入り込みにくく、製造コストも比較的安価なため、好ましい。
【００５７】
取出口１６をミシン目構造とした場合、収容される生理用ナプキン１が取り出しやすい大きさで開口が形成されるようなミシン目を設けるのが望ましい。例えば、図１３(A)では、一方の短手側縁の近傍において生理用ナプキン１の幅寸法とほぼ同等かこれより大きな両側位置を基点として中央側に向けてポケット形状のミシン目を形成している。また、図１３(B)では、一方の短手側縁に平行して延びるとともに、生理用ナプキン１の幅寸法とほぼ同等かこれより長く形成された幅方向ミシン目と、この幅方向ミシン目の中央部から垂直に延びる長手方向ミシン目とからなるＴ字状のミシン目を形成している。図１３(A)のポケット状ミシン目を開封するには、中央側のミシン目端部を摘んで両側の短手側縁に向けて包装シート１２を引き裂くようにする。一方、図１３(B)のＴ字状ミシン目を開封するには、幅方向ミシン目と長手方向ミシン目との交点付近から幅方向両側にそれぞれ包装シート１２を引き裂くようにする。
【００５８】
収容する生理用ナプキン１の前側部分を長手方向に折り畳む場合、前記取出口１６は、生理用ナプキン１の前側寄りに設けるのが好ましい。これにより、折り畳んだ前側部分を摘んで生理用ナプキン１を包装シート１２から取り出すことができるようになる。生理用ナプキン１を長手方向に折り畳まずに包装シート１２で囲繞する場合、取出口１６は生理用ナプキン１の前側又は後側のいずれに設けてもよいが、取り出した後の下着への装着性を考慮すると生理用ナプキン１の前側に設けるのが好ましい。
【００５９】
収容する生理用ナプキン１の前側部分を長手方向に折り畳む場合であって、前記取出口１６がポケット状ミシン目からなる場合（図１３(A)）、前記ミシン目は生理用ナプキン１の前側外形線に沿うように形成するのが好ましい。これによって、ミシン目から包装シート１２を引き裂く際に、包装シート１２とともに生理用ナプキン１の前端部を摘みながら引き裂くことができ、これにより包装シート１２がミシン目に沿って引き裂かれやすくなる。また、前記取出口１６がＴ字状ミシン目からなる場合（図１３(B)）、前記長手方向ミシン目は、折り畳んだ生理用ナプキン１の前側部分の端縁より長手方向に長く延在する位置まで形成するのが好ましい。これによりミシン目から包装シート１２を引き裂いた後、生理用ナプキン１の前側端部を摘んで取り出しやすくなり、ナプキンの取出し性及び下着への装着性が向上できる。
【００６０】
一方、包装シート１２の開口端縁をパウチテープ１７で止着するタイプの場合、生理用ナプキン１の長手方向に巻回した包装シート１２の端縁同士を重ね合わせる際、生理用ナプキン１の前側から延在する包装シート１２の端縁が上側になるように重ね合わせ、パウチテープ１７で止着するのが好ましい。これにより、個装生理用ナプキン２０の開封時に、パウチテープ１７を外して上側の包装シート１２を展開したとき、生理用ナプキン１の前側部分が先に露出するため、生理用ナプキン１の取出し性に優れるようになる。
【００６１】
前記包装シート１２は、生理用ナプキン１とともに長手方向折り線ＳＬにて幅方向に折り畳まれた状態で、対面する該包装シート１２、１２同士がホットメルト、ヒートシール、超音波シールの内のいずれかの接合手段による仮止め部１８において仮止めされている。前記仮止め部１８は、図１４に示されるように、包装シート１２を幅方向に折り畳む前の幅方向両端部には設けないことが好ましい（仮止め部配設不可領域１９）。仮に、この仮止め部配設不可領域１９に仮止め部１８を設けた場合には、包装シート１２、１２の端縁同士がくっついて、使用者が仮止めを解除しにくく、開封操作が面倒になる。前記仮止め部配設不可領域１９は、包装シート１２の幅方向両端部から内側に０〜５ｍｍの範囲とするのがよい。更に、前記仮止め部１８は、取出口１６がＴ字状ミシン目からなる場合、開封時にナプキン取出口が広範囲に破れるおそれがあるため、長手方向ミシン目の幅方向ミシン目と反対側の端部から包装シート１２の幅方向ミシン目と反対側の長手方向端部にかけての領域には設けないことが好ましい（仮止め部配設不可領域１９）。
【００６２】
前記仮止め部１８は、種々の形態で設けることができる。例えば、取出口１６がＴ字状ミシン目からなる場合、図１５(A)〜(C)に示されるパターンで配置することが可能である。図１５(A)では、幅方向の一方側に長手方向に沿って帯状の仮止め部１８を設けてある。図１５(B)では、長手方向の前側であって幅方向の一方側に長手方向に長い長方形状の仮止め部１８を設けるとともに、長手方向の後側であって幅方向の他方側に長手方向に長い長方形状の仮止め部１８を設けてある。図１５(C)では、幅方向の一方側及び他方側に、長手方向に沿って複数の楕円形、円形又は矩形の仮止め部１８、１８を千鳥状に配置してある。また、取出口１６がポケット状ミシン目からなる場合、図１５(D)に示されるように、ミシン目の外側（後側）に仮止め部１８を設けるのが好ましい。図示例では長手方向に長い長方形状の仮止め部１８を設けてある。更に、取出口１６が開口側縁をパウチテープ１７で止着するものの場合、図１５(E)に示されるように、長手方向の前側から延在する包装シート１２と長手方向の後側から延在する包装シート１２にそれぞれ長手方向に長い長方形状の仮止め部１８を設けることができる。
【００６３】
前記仮止め部１８の面積は、長手方向折り線ＳＬにて幅方向に折り畳む際の一方側の包装シート１２の面積に対して、包装シート１２の幅方向一方側の面積：仮止め部１８の面積＝１：０．０１〜０．３の範囲とするのがよい。
【００６４】
前記生理用ナプキン１の不透液性裏面シート２の外面側に形成される本体ズレ止め粘着剤層８及びウイングズレ止め粘着剤層１０は、少なくとも山折り部分１３には設けないのが望ましい。好ましくは、生理用ナプキン１の全長に亘って、幅方向中央部には前記ズレ止め粘着剤層８、１０を設けないのがよい。これにより、山折り部分１３及び谷折り部分１４のズレ止め粘着剤層同士が貼り付くのが防止できるとともに、この部分が下着に密着して肌側に隆起した状態や窪んだ状態が解除するのが防止できる。
【００６５】
前記本体ズレ止め粘着剤層８及びウイングズレ止め粘着剤層１０は、図１６に示されるように、(A)ナプキン長手方向、(B)ナプキン幅方向、(C)ナプキン長手方向とナプキン幅方向との組み合わせなど、種々のパターンで配置可能であるが、下着との固定強度が高いナプキン幅方向に沿って配置するのが望ましい。
【００６６】
〔他の形態例〕
(1)上記形態例では、本体部分の両側部にウイング状フラップＷ、Ｗが形成された生理用ナプキン１について説明したが、前記ウイング状フラップＷ、Ｗが形成されない生理用ナプキンについても同様に適用できる。
(2)前記本体用剥離材９及びウイング用剥離材１１を包装シート１２に接着することにより、包装シート１２から生理用ナプキン１を取り出した際、本体用剥離材９及びウイング用剥離材１１が本体ズレ止め粘着剤層８及びウイングズレ止め粘着剤層１０から剥離されるように構成してもよい。
【符号の説明】
【００６７】
１…生理用ナプキン、２…不透液性裏面シート、３…透液性表面シート、４…吸収体、７…サイド不織布、８…本体ズレ止め粘着剤層、９…本体用剥離材、１０…ウイングズレ止め粘着剤層、１１…ウイング用剥離材、１２…包装シート、１３…山折り部分、１４…谷折り部分、１５…エンボス、１６…取出口
【図１】
2015160066.tif 000003
【図２】
2015160066.tif 000004
【図３】
2015160066.tif 000005
【図４】
2015160066.tif 000006
【図５】
2015160066.tif 000007
【図６】
2015160066.tif 000008
【図７】
2015160066.tif 000009
【図８】
2015160066.tif 000010
【図９】
2015160066.tif 000011
【図１０】
2015160066.tif 000012
【図１１】
2015160066.tif 000013
【図１２】
2015160066.tif 000014
【図１３】
2015160066.tif 000015
【図１４】
2015160066.tif 000016
【図１５】
2015160066.tif 000017
【図１６】
2015160066.tif 000018